(57)【特許請求の範囲】
【請求項１】
ケースの前面に発光表示体を有した表示装置を支持機材面に取り付ける表示装置の装着方法であって、前記ケースの背面に、少なくとも２種類の高さの突起体を各々の先端頂面位置を違えて複数個前記ケースと一体で形成する工程と、前記表示装置の表示面を所定の取付角度に調整するために前記突起体の少なくとも１つを選定して残し、他の突起体を除去する工程と、選定した前記突起体の頂面を前記支持機材面に当接した状態で固定する工程と、を備えた表示装置の装着方法。
【発明の詳細な説明】
【０００１】
【発明の属する技術分野】
本発明は、発光表示体を有する表示装置及びその表示装置を所定の支持機材面に装着して使用する際の装着方法に関するものである。
【０００２】
【従来の技術】
近年、屋外あるいは屋内の表示器として、長寿命、省電力、良好なメンテナンス性、さらには軽量等の長所を有する、発光ダイオード（ＬＥＤ）による表示装置が急速に普及している。
【０００３】
ＬＥＤを用いた表示装置は、配置されたＬＥＤ又はＬＥＤ集合ランプをドット単位で発光させることにより絵や文字を表示する。この表示装置は、図９に、断面図で示すように、複数のＬＥＤ１がプリント配線基板２に実装されて、樹脂又は金属のケース３に固定され、取付用板金等の支持機材面４に、ＬＥＤ又はＬＥＤ集合ランプを縦方向及び横方向に配置した表示面が垂直から少し下向きに、設置されている。ケース３の背面からはＬＥＤを駆動するための電線５が引き出され、さらに、支持機材面４にこの表示装置を取り付けるためのインサートナット６と、屋外仕様の表示装置の場合は、防水樹脂７及び防水用リング８が具備されている。なお、ケース３の背面には突起部９を設け、この突起部９を支持機材面４の穴部１０に嵌挿することにより、固定を確実にしている。
【０００４】
従来の表示装置は、その取付角度がケースの形状により取付用板金に対して固定された、一定角度で取り付けられている。よって、屋外あるいは屋内での表示装置の表示方向は一定であり、表示方向を変えるには、表示装置全体の角度を変えるか、又は表示装置のケースを、取付角度の異なる別形状のものに変更する必要があった。
【０００５】
【発明が解決しようとする課題】
不特定多数の視覚者を対象にした表示装置では、固定手段が一定であると、視覚者の移動方向等を考慮すると、設置場所（設置高さ、設置方向等）及び表示方向の選定に不便である。
【０００６】
屋外あるいは屋内の表示装置の表示方向を変えるには、表示装置全体の角度を変えるか、又は、ＬＥＤ表示装置のケース形状を、角度及び方向が合うような形状に変更する必要がある。
【０００７】
しかし、表示装置全体の角度を変えることは、設置場所が表示装置の設置条件及び法令等により指定されるような場合に、自由度がなく、また、個別に準備することで多大な経費が発生することになる。
【０００８】
本発明は、上記問題点を解決するもので、表示装置の一部仕様変更に対応して、屋外あるいは屋内の表示装置の表示方向を、任意に、且つ容易に設定できることを目的とする。
【０００９】
【課題を解決するための手段】
本発明の表示装置は、ケースの前面に発光表示体を有し、前記ケースの背面に、支持体機材面に対して取付角度の調整可能な突起体を備えた構造であり、これにより、表示装置の表示方向を、任意に、且つ容易に設定することができる。
【００１０】
本発明の表示装置は、前記突起体が、複数個、各々の先端頂面位置を違えて、前記ケースの背面に散在して配設された構造であり、これにより、先端頂面位置の違う突起体を任意に選択して、表示装置の表示方向を、任意に、且つ容易に設定することができる。
【００１１】
本発明の表示装置は、ケースの前面に発光表示体を有し、前記ケースの背面に、前記発光表示体の面を第１の角度に設定する第１の突起体と、第２の角度に設定する第２の突起体との各突起体を備え、支持機材面への取り付けの際に、いずれか少なくとも１つの前記突起体を選択可能になしたものであり、これにより、第１の突起体と第２の突起体とのいずれか少なくとも１つを選択して、表示装置の表示方向を、任意に、且つ容易に設定することができる。
【００１２】
本発明の表示装置は、ケースの前面に発光表示体を有し、前記ケースの背面に、任意の高さの突起体を配設し、前記突起体の頂面が支持機材面に接した状態で、前記発光表示体の面を所定の取付角度に設定した構造であり、これにより、前記発光表示体の面を所定の取付角度に設定して、表示装置の表示方向を、任意に、且つ容易に設定することができる。
【００１３】
本発明の表示装置は、ケースの前面に発光表示体を有し、前記ケースの背面に、支持体機材面に対して前記発光表示体の面を所定の取付角度に調整可能な突起体、及び前記支持機材面の一部に設けられた位置決め穴部に嵌挿する突起部を備えた構造であり、これにより、前記発光表示体の面を所定の取付角度に設定して、表示装置の表示方向を、任意に、且つ容易に設定して、確実に固定することができる。
【００１４】
本発明の表示装置は、前記支持機材面の一部に設けられた位置決め穴部に嵌挿する突起部が、前記発光表示体の面を第１の角度に設定する第１の突起体と第２の角度に設定する第２の突起体との各突起体のうちの、少なくとも１つをもって活用された構造であり、これにより、第１の突起体と第２の突起体とのうちの少なくとも１つを選択して、表示装置の表示方向を、任意に、且つ容易に設定することができる。
【００１５】
本発明の表示装置は、ケースの前面に発光表示体を有し、前記ケースの背面に、支持体機材面に対して、取付角度の調整可能な突起体を備えた構造で、前記発光表示体が、複数の発光ダイオードの配列により形成されたものであり、これにより、表示装置の表示方向を、任意に、且つ容易に設定して、堅牢、高輝度の表示装置を実現することができる。
【００１６】
本発明の表示装置は、ケースの前面に発光表示体を有し、前記ケースの背面に、支持体機材面に対して、取付角度の調整可能な突起体を備えた構造で、前記発光表示体が、プリント配線基板に複数の発光ダイオードの配列した集合体により形成されたものであり、これにより、表示装置の表示方向を、任意に、且つ容易に設定して、堅牢、高輝度の表示装置を実現することができる。
【００１７】
本発明の表示装置の装着方法は、ケースの前面に発光表示体を有し、前記ケースの背面に、任意の高さの突起体を複数に配設した表示装置を支持機材面に取り付ける際に、前記突起体の少なくとも１つを選定して残し、他の前記突起体を除去する工程、選定した前記突起体の頂面を前記支持機材面に当接した状態で固定する工程、を備えたものであり、これにより、前記発光表示体の面を所定の取付角度に設定して、表示装置の表示方向を、任意に、且つ容易に設定して、確実に固定することができる。
【００１８】
【発明の実施の形態】
本発明の実施の形態について、図面を参照して詳しく説明する。
【００１９】
図１は、本発明の一実施の形態である表示装置の斜視図であり、この表示装置は、複数のＬＥＤ１をプリント配線基板に実装して、樹脂又は金属のケース３の前面に固定し、ケース３の背面には、取付用板金等の支持機材面に当接されて、支持体機材面に対して、取付角度の調整可能な突起体を複数に備えている。すなわち、突起体は、互いの高さを適宜設定した第１の群の突起体１１〜１４と、これら第１の群のものとは異なる互いの高さを適宜設定した第２の群の突起体２１〜２４とを備えている。そして、ケース３の背面からは、ＬＥＤ１を駆動するための電線５が引き出され、さらに、支持機材面にこの表示装置を取り付けるためのインサートナット６と、屋外仕様の表示装置の場合は、防水樹脂７及び防水用リング８及び突起部９を設けている。この装置は、図９に示す従来の表示装置と同様の目的で使用されるものであり、配置されたＬＥＤ又はＬＥＤ集合ランプをドット単位で発光させることにより絵や文字を表示するためのものである。
【００２０】
図２は、上記第１の群の突起体１１〜１４を選択して、ケース３を支持機材面４に装着固定した場合の概要断面図であり、突起体１１〜１４がそれぞれ支持機材面４に当接されて、かつ、突起部９が支持機材面４の穴部１０に嵌挿されて、止めねじ１５をインサートナット６に螺合することにより、固定を確実にしている。この表示装置は、突起体１２，１１が同じ長尺の高さで、突起体１３，１４が同じ短尺の高さであり、これらによって、ＬＥＤ又はＬＥＤ集合ランプを縦方向及び横方向に配置した表示面がほぼ垂直に設置されている。
【００２１】
図３は、上記第２の群の突起体２１〜２４を選択して、ケース３を支持機材面４に装着固定した場合の概要断面図であり、突起体２１〜２４がそれぞれ支持機材面４に当接されて、かつ、突起部９が支持機材面４の穴部１０に嵌挿されて、止めねじ１５をインサートナット６に螺合することにより、固定を確実にしている。この表示装置は、突起体２２，２１が同じ長尺の高さで、突起体２３，２４が同じ短尺の高さであり、これらによって、ＬＥＤ又はＬＥＤ集合ランプを縦方向及び横方向に配置した表示面が垂直から数度、下向きになる角度で設置されている。
【００２２】
図４は、上記本発明の一実施形態の表示装置で、実効表示面が３０mm×３０mmの正方形でなるＬＥＤ集合ランプを、支持機材面である板金表面に対して、その傾斜角を選定可能な上下方向の場合について説明する概要側面図である。この場合、表示面がケース自体により、予め下向き５度の角度がついている。このＬＥＤ集合ランプのケース背面に、取付角度設定用の突起体を、外側の長尺の各突起体１１（１２），２１（２２）間のピッチを２６mm、それらの高さを各４mmとし、内側の短尺の各突起体１４（１３），２４（２３）間のピッチを２０mm、それらの高さを各２mmとして、用意されている。そこで、表示方向を下向きに設定するときは、第２の群の突起体２１〜２４を選択して、第１の群の突起体１１〜１４を切断除去することにより、取付用支持機材面の板金表面に対して下向きに１０度傾き、一方、表示方向を垂直に設定するときは、第１の群の突起体１１〜１４を選択して、第２の群の突起体２１〜２４を切断除去することにより、取付用支持機材面の板金表面に対して直角の方向になる。
【００２３】
また、ケース背面の上側に配設された４個の突起体１３，１４，２１，２２をすべて切断除去して取付用板金に取り付けること、あるいは、ケース背面の下側に配設された４個の突起体１１，１２，２３，２４をすべて切断除去して取付用板金に取り付けることにより、これらの場合は、ケース背面の上側あるいは下側の各稜辺が、取付用板金表面に当接することになるが、上下方向の表示方向の更に大きな角度が得られることになる。
【００２４】
さらに、ケース背面の両横側に配設された各々の突起体を選択して残し、他を切断除去して取り付け用板金に取り付けることにより、表示方向の設定が左右の任意の方向にも可能になる。
【００２５】
なお、この角度設定用突起体の位置場所は、屋外仕様の場合、防水リング８に対して内側、外側のいずれでもよい。
【００２６】
ＬＥＤランプの表示方向（上下方向あるいは左右方向）は、取付角度設定用の各突起体の高さ及び除去等の加工の組み合わせにより、ＬＥＤランプの取付角度が任意、自在に設定でき、また、その変更も容易に可能である。たとえば、希望する取付角度の組み合わせは、各突起体の高さ及びそれぞれのピッチをケース金型作製時に設定し、除去等の加工との組み合わせにより、任意性、自在性の高い対応が可能である。
【００２７】
図５は、本発明の別の実施形態である表示装置の斜視図であり、この表示装置は、複数のＬＥＤ１をプリント配線基板に実装して、樹脂又は金属のケース３の前面に固定し、ケース３の背面には、取付用板金等の支持機材面に当接されて、支持体機材面に対して、取付角度の調整可能な段差付き突起体を複数に備えている。すなわち、この実施形態の表示装置の場合、取付角度の調整可能な４個の段差付き突起体２５，２６，２７，２８が設けられている。
【００２８】
ケース３の背面の取付角度設定用の段差付き突起体２５，２６，２７，２８は、その高さ方向に対して、径寸法の大きい第一段部と径寸法の小さい第二段部との二段をもった棒状体で構成し、これらにより、ＬＥＤランプの取付角度を決定することができるようになっている。そして、これら段差付き突起体以外の各構成体は、いずれも、図１に示した一実施形態の表示装置のものと同じである。
【００２９】
図６は、上記取付角度設定用の段差付き突起体２５，２６，２７，２８のうちの、突起体２６，２７を取付角度設定用に選択して、残りの突起体２５，２８を支持機材面４の穴部１０に嵌挿して、止めねじ１５をインサートナット６に螺合して装着固定した表示装置の概要断面図である。この表示装置は、突起体２５，２８が同じ形状及び向きに設置され、一方、突起体２６，２７が同じ形状及び向きで、突起体２５，２８とは互いに対向するように設置されている。これらによって、ＬＥＤ又はＬＥＤ集合ランプを縦方向及び横方向に配置した表示面がほぼ垂直に設置されている。
【００３０】
図７は、上記取付角度設定用の段差付き突起体２５，２６，２７，２８のうちの、突起体２５，２８を取付角度設定用に選択して、残りの突起体２６，２７を支持機材面４の穴部１０に嵌挿して、止めねじ１５をインサートナット６に螺合して装着固定した表示装置の概要断面図である。この表示装置は、ＬＥＤ又はＬＥＤ集合ランプを縦方向及び横方向に配置した表示面が垂直面から数度、下向きの角度に設置されている。
【００３１】
図８は、上記本発明の別の実施形態の表示装置であり、実効表示面が３０mm×３０mmの正方形でなるＬＥＤ集合ランプを、支持機材面である、板金表面に対して、その傾斜角を選定可能な上下方向の場合について説明する概要側面図である。この場合、表示面がケース自体により、予め下向き５度の角度がついている。このＬＥＤ集合ランプのケース３の背面に、取付角度設定用の突起体を、各突起体２７（２６），２８（２５）間のピッチを１２．５mmとし、第１段部の高さ（頂部）を各２mm、第２段部の高さ（頂部）を各４．９mmとして用意されている。そこで、表示方向を下向きに設定するときは、取付用支持機材面の板金表面に対して下向きに１０度傾き、一方、表示方向を垂直に設定するときは、取付用支持機材面の板金表面に対して直角の方向になる。
【００３２】
また、ケース３の背面の上側に配設された取付角度設定用の段差付き突起体は、２個以上で有効に機能し、これらの場合は、ケース３の背面の上側あるいは下側の各稜辺が、取り付け用板金表面に当接することになるが、上下方向の表示方向の角度選択が可能になる。
【００３３】
さらに、ケース背面の両横側に配設された各々の取付角度設定用の段差付き突起体を選択することにより、表示方向の設定が左右の任意の方向にも可能になる。
【００３４】
尚、この角度設定用突起体の位置場所は、屋外仕様の場合、防水リング８に対して内側、外側のいずれでもよい。
【００３５】
この実施形態の表示装置によると、ＬＥＤランプの表示方向（上下方向あるいは左右方向）は、支持機材面である、取り付け板金の設けた、所定角度設定用の段差付き突起体の位置に対応した嵌挿用の穴加工寸法との組み合わせにより、その取付角度が容易に設定でき、また、選択や変更も自在にできる。
【００３６】
【発明の効果】
本発明によると、ＬＥＤランプ、あるいは表示装置のケースの背面に設置された複数の取付角度設定用の突起体の加工及び除去等の組み合わせ、さらにはそれらの突起体の位置に対応した支持機材面に設けた嵌挿穴により、表示装置の表示方向あるいはその表示装置本体の取付角度を十分に広い範囲で選択でき、また、その変更に当たっては、表示装置のケース金型を作製変更することなく自在にできる。
【図面の簡単な説明】
【図１】本発明の一実施形態の表示装置の斜視図
【図２】本発明の一実施形態の表示装置の概要断面図
【図３】本発明の一実施形態の表示装置の概要断面図
【図４】本発明の一実施形態の表示装置の概要側面図
【図５】本発明の別の実施形態の表示装置の斜視図
【図６】本発明の別の実施形態の表示装置の概要断面図
【図７】本発明の別の実施形態の表示装置の概要断面図
【図８】本発明の別の実施形態の表示装置の概要側面図
【図９】従来の表示装置の断面図
【符号の説明】
１  ＬＥＤ
２  プリント配線基板
３  ケース
４  支持機材面
５  電線
６  インサートナット
７  防水樹脂
８  防水用リング
９  突起部
１０  嵌挿用の穴部
１１〜１４  突起体
１５  止めねじ
２１〜２４  突起体
２５〜２８  段差付き突起体
【図１】
0004069504.tif 000002
【図２】
0004069504.tif 000003
【図３】
0004069504.tif 000004
【図４】
0004069504.tif 000005
【図５】
0004069504.tif 000006
【図６】
0004069504.tif 000007
【図７】
0004069504.tif 000008
【図８】
0004069504.tif 000009
【図９】
0004069504.tif 000010